(57)【要約】【課題】重量物を固定することによる信頼性の低下を抑制できる電子機器を提供する。【解決手段】電子機器１００は、フェライトコア１３０等の重量物が取付けられるワイヤハーネス１２０と、ワイヤハーネス１２０が接続される回路基板１１０とを備える。ワイヤハーネス１２０は、複数の電線をまとめたワイヤ部１２２と、ワイヤ部１２２の端部に設けられる第１のコネクタ１２４とを含む。回路基板１１０は、ワイヤハーネス１２０の第１のコネクタ１２４と接続される第２のコネクタ１５０を含む。電子機器１００はさらに、ワイヤハーネス１２０の第１のコネクタ１２４に重量物（フェライトコア１３０）を固定するための固定部材１４０を含む。【選択図】図３
2013165205.tif 000002
【特許請求の範囲】
【請求項１】
重量物が取付けられるワイヤハーネスであって、
複数の電線をまとめたワイヤ部と、
前記ワイヤ部の端部に設けられるコネクタと、
前記重量物を前記コネクタに固定するための固定手段とを含む、ワイヤハーネス。
【請求項２】
前記重量物は、前記ワイヤ部が挿通されるフェライトコアを含む、請求項１に記載のワイヤハーネス。
【請求項３】
前記固定手段は、前記重量物及び前記コネクタと嵌合する、柔軟性を有する嵌合部材を含む、請求項１又は請求項２に記載のワイヤハーネス。
【請求項４】
前記固定手段は、前記重量物が装着される装着部を有する装着部材を含み、
前記装着部材は、前記コネクタ側の端部に、前記コネクタと係合する係合部を有する、請求項１又は請求項２に記載のワイヤハーネス。
【請求項５】
重量物が取付けられるワイヤハーネスと、前記ワイヤハーネスが接続される回路基板とを備えた電子機器であって、
前記ワイヤハーネスは、
複数の電線をまとめたワイヤ部と、
前記ワイヤ部の端部に設けられる第１のコネクタとを含み、
前記回路基板は、前記ワイヤハーネスの前記第１のコネクタと接続される第２のコネクタを含み、
前記電子機器はさらに、前記第１のコネクタと前記第２のコネクタとが接続された状態で、前記重量物を、前記第１のコネクタ及び前記第２のコネクタの少なくとも一方に固定するための固定手段を含む、電子機器。
【請求項６】
前記重量物は、前記ワイヤ部が挿通されるフェライトコアを含む、請求項５に記載の電子機器。
【請求項７】
前記固定手段は、前記重量物及び前記第１のコネクタと嵌合する、柔軟性を有する嵌合部材を含む、請求項５又は請求項６に記載の電子機器。
【請求項８】
前記嵌合部材は、前記第１のコネクタと前記第２のコネクタとが接続された状態で、前記第１のコネクタ及び前記第２のコネクタに被さるように装着される装着部を含む、請求項７に記載の電子機器。
【請求項９】
前記固定手段は、両端の一方側に前記重量物が装着される装着部を有する装着部材を含み、
前記装着部材は、前記第１のコネクタと前記第２のコネクタとが接続された状態で、両端の他方側に、前記第１のコネクタ及び前記第２のコネクタの少なくとも一方と係合する係合部を有する、請求項５又は請求項６に記載の電子機器。
【請求項１０】
複数の電線をまとめたワイヤ部と前記ワイヤ部の端部に設けられるコネクタとを含むワイヤハーネスにフェライトコアを固定する、フェライトコアの固定方法であって、
前記フェライトコアに前記ワイヤ部を挿通するステップと、
前記フェライトコアを、固定部材を介して、前記コネクタに固定するステップとを含む、フェライトコアの固定方法。
【発明の詳細な説明】
【技術分野】
【０００１】
本発明は、ワイヤハーネス及び電子機器、並びに、フェライトコアの固定方法に関し、特に、フェライトコア等の重量物が取付けられるワイヤハーネス及びそのワイヤハーネスを用いた電子機器、並びに、フェライトコアの固定方法に関する。
【背景技術】
【０００２】
多くの電子機器では、電源供給及び信号通信等の電気的接続を目的としたワイヤハーネスが用いられている。ワイヤハーネスは、複数の電線を束にして集合部品としたものであり、電線束であるワイヤ部と、ワイヤ部の端部に設けられるコネクタとを含む。ワイヤハーネスのコネクタは、回路基板に設けられたコネクタと接続可能とされている。ワイヤハーネスのコネクタが回路基板のコネクタと接続されることで、ワイヤハーネスは適切な回路へ電気を伝える。ワイヤハーネスのコネクタはさらに、回路基板のコネクタと接続されることによって、ワイヤハーネスと回路基板との接続部分を固定する。
【０００３】
ワイヤハーネスにおいては、不要輻射の抑制等を目的として、フェライトコアが取付けられることがある。フェライトコアは、金属酸化物等からなる磁性体材料であり、ワイヤハーネスのワイヤ部をフェライトコアの開口部に挿通することで、ワイヤハーネスの不要輻射を抑制する。
【０００４】
ワイヤ部をフェライトコアに挿通する場合、フェライトコアがワイヤハーネスに対して動かないように固定するのが望ましい。後掲の特許文献１は、フェライトコアをワイヤ部に固定するフェライトコアの固定方法を開示する。特許文献１では、フェライトコアに収縮チューブを被せた後、その収縮チューブを収縮させ、収縮後のチューブの裾部分から電線束を通すことによって、フェライトコアをワイヤ部に固定する。
【０００５】
フェライトコアをワイヤハーネスに対して動かないように固定する他の方法として、従来、電子機器の筐体等の構造材に、結束バンドでフェライトコアを固定する方法も知られている。
【先行技術文献】
【特許文献】
【０００６】
【特許文献１】特開平１０−２４７７９６号公報
【発明の概要】
【発明が解決しようとする課題】
【０００７】
特許文献１では、フェライトコアがワイヤ部に直接固定される。フェライトコアのような重量物をワイヤ部に固定した場合、重量物の重量及び振動等による負荷が印加されて、電線及び周辺部品が破損するおそれがある。特に、電線の数が少ないワイヤハーネス、及び、比較的細い電線を使用しているワイヤハーネスに、フェライトコア等の重量物を固定する場合、電線の断線、及びコネクタ（端子）の破損等が生じやすいという不都合がある。そのため、信頼性が低下するという問題点がある。
【０００８】
筐体等の構造材にフェライトコアを固定する場合、フェライトコアの固定位置が制限されるという不都合がある。一般的にフェライトコアは回路基板の近傍に固定する方が不要輻射の抑制に効果的である。しかし、筐体等の構造材にフェライトコアを固定する方法では、フェライトコアを回路基板の近傍に固定するのが困難となる。そのため、不要輻射を効果的に抑制するのが困難となるので、この場合も、信頼性が低下するという問題点がある。
【０００９】
本発明は、上記のような課題を解決するためになされたものであり、本発明の１つの目的は、重量物を固定することによる信頼性の低下を抑制できるワイヤハーネス及びそのワイヤハーネスを用いた電子機器を提供することである。
【００１０】
本発明のもう１つの目的は、信頼性を向上できるフェライトコアの固定方法を提供することである。
【課題を解決するための手段】
【００１１】
上記目的を達成するために、本発明の第１の局面に係るワイヤハーネスは、重量物が取付けられるワイヤハーネスである。このワイヤハーネスは、複数の電線をまとめたワイヤ部と、ワイヤ部の端部に設けられるコネクタと、重量物をコネクタに固定するための固定手段とを含む。
【００１２】
固定手段によって重量物をコネクタに固定することにより、重量物の重量及び振動等による負荷がワイヤ部に印加されるのを抑制できる。そのため、電線及び周辺部品等の破損を抑制できるので、電線及び周辺部品等の破損に起因する信頼性の低下を抑制できる。ワイヤハーネスのコネクタは、回路基板のコネクタと接続されるため、ワイヤハーネスのコネクタが回路基板のコネクタと接続された状態では、コネクタに固定された重量物は、回路基板の近傍に位置する。このように、ワイヤハーネスに取付けられる重量物を回路基板の近傍に容易に配置（固定）できるため、重量物が回路基板から離れることに起因する信頼性の低下を抑制できる。
【００１３】
好ましくは、重量物は、ワイヤ部が挿通されるフェライトコアを含む。固定手段によってフェライトコアをコネクタに固定することにより、フェライトコアの重量及び振動等による負荷がワイヤ部に印加されるのを抑制できる。また、フェライトコアをコネクタに固定することにより、フェライトコアを回路基板の近傍に配置（固定）できる。そのため、不要輻射を効果的に抑制できる。したがって、不要輻射を抑制するためにフェライトコアをワイヤハーネスに取付けた場合でも、信頼性の低下を抑制できる。
【００１４】
上記重量物は、フェライトコアに代えて、例えば、センサ等とすることもできる。この場合、センサ等を回路基板の近傍に固定できる。
【００１５】
より好ましくは、固定手段は、重量物及びコネクタと嵌合する、柔軟性を有する嵌合部材を含む。固定手段として柔軟性を有する嵌合部材を用いることにより、重量物をコネクタに固定する際に、嵌合部材を変形させることで、形状の異なる種々のコネクタに容易に重量物を固定できる。また、固定手段が柔軟性を有することによって、ワイヤ部の引回しが容易となる。
【００１６】
さらに好ましくは、固定手段は、重量物が装着される装着部を有する装着部材を含み、装着部材は、コネクタ側の端部に、コネクタと係合する係合部を有する。固定手段として、コネクタと係合する係合部を有する装着部材を用いることにより、この装着部材の係合部をコネクタと係合させることによって、装着部材がコネクタから抜けるのを抑制できる。これにより、重量物を固定する装着部材がコネクタから抜けることに起因する信頼性の低下を抑制できる。
【００１７】
本発明の第２の局面に係る電子機器は、重量物が取付けられるワイヤハーネスと、ワイヤハーネスが接続される回路基板とを備えた電子機器である。ワイヤハーネスは、複数の電線をまとめたワイヤ部と、ワイヤ部の端部に設けられる第１のコネクタとを含み、回路基板は、ワイヤハーネスの第１のコネクタと接続される第２のコネクタを含む。電子機器はさらに、第１のコネクタと第２のコネクタとが接続された状態で、重量物を、第１のコネクタ及び第２のコネクタの少なくとも一方に固定するための固定手段を含む。
【００１８】
固定手段によって重量物を第１のコネクタ及び第２のコネクタの少なくとも一方に固定することにより、重量物の重量及び振動等による負荷がワイヤハーネスのワイヤ部に印加されるのを抑制できる。そのため、電線及び周辺部品等の破損を抑制できるので、電線及び周辺部品等の破損に起因する信頼性の低下を抑制できる。ワイヤハーネスの第１のコネクタは、回路基板の第２のコネクタと接続されるため、ワイヤハーネスの第１のコネクタが回路基板の第２のコネクタと接続された状態では、重量物は回路基板の近傍に位置する。したがって、重量物を回路基板の近傍に配置（固定）できるため、重量物が回路基板から離れることに起因する信頼性の低下を抑制できる。
【００１９】
好ましくは、重量物は、ワイヤ部が挿通されるフェライトコアを含む。固定手段によってフェライトコアを第１のコネクタ及び第２のコネクタの少なくとも一方に固定することにより、フェライトコアの重量及び振動等による負荷がワイヤ部に印加されるのを抑制できる。また、フェライトコアを第１のコネクタ及び第２のコネクタの少なくとも一方に固定することにより、フェライトコアを回路基板の近傍に配置（固定）できる。そのため、不要輻射を効果的に抑制できる。したがって、不要輻射を抑制するためにフェライトコアをワイヤハーネスに取付ける場合でも、信頼性の低下を抑制できる。
【００２０】
より好ましくは、固定手段は、重量物及び第１のコネクタと嵌合する、柔軟性を有する嵌合部材を含む。固定手段として柔軟性を有する嵌合部材を用いることにより、重量物を、第１のコネクタに固定する際に、嵌合部材を変形させることで、形状の異なる種々のコネクタに容易に重量物を固定できる。また、固定手段が柔軟性を有することによって、ワイヤ部の引回しが容易となる。
【００２１】
さらに好ましくは、嵌合部材は、第１のコネクタと第２のコネクタとが接続された状態で、第１のコネクタ及び第２のコネクタに被さるように装着される装着部を含む。重量物を固定するための嵌合部材を、第１のコネクタ及び第２のコネクタに被さるように装着することにより、重量物の固定を強固にできる。
【００２２】
さらに好ましくは、固定手段は、両端の一方側に重量物が装着される装着部を有する装着部材を含み、装着部材は、第１のコネクタと第２のコネクタとが接続された状態で、両端の他方側に、第１のコネクタ及び第２のコネクタの少なくとも一方と係合する係合部を有する。固定手段として、第１のコネクタ及び第２のコネクタの少なくとも一方と係合する係合部を有する装着部材を用いることにより、この装着部材の係合部を第１のコネクタ及び第２のコネクタの少なくとも一方と係合させることによって、装着部材がコネクタから抜けるのを抑制できる。これにより、重量物を固定する装着部材がコネクタから抜けることに起因する信頼性の低下を抑制できる。
【００２３】
本発明の第３の局面に係るフェライトコアの固定方法は、複数の電線をまとめたワイヤ部とこのワイヤ部の端部に設けられるコネクタとを含むワイヤハーネスにフェライトコアを固定する、フェライトコアの固定方法である。このフェライトコアの固定方法は、フェライトコアにワイヤ部を挿通するステップと、フェライトコアを、固定部材を介して、コネクタに固定するステップとを含む。
【００２４】
ワイヤ部に挿通したフェライトコアを、固定部材によってコネクタに固定することにより、フェライトコアの重量及び振動等による負荷がワイヤ部に印加されるのを抑制できる。そのため、電線及び周辺部品等の破損を抑制できる。ワイヤハーネスのコネクタは、回路基板のコネクタと接続されるため、ワイヤハーネスのコネクタが回路基板のコネクタと接続された状態では、コネクタに固定されたフェライトコアは、回路基板の近傍に位置する。したがって、ワイヤハーネスに取付けられるフェライトコアを回路基板の近傍に配置（固定）できるため、不要輻射を効果的に抑制できる。このように、第３の局面に係るフェライトコアの固定方法を用いることによって、信頼性を向上できる。
【発明の効果】
【００２５】
以上より、本発明によれば、重量物を固定することによる信頼性の低下を抑制できるワイヤハーネス及びそのワイヤハーネスを用いた電子機器を容易に得ることができる。
【００２６】
また本発明によれば、信頼性を向上できるフェライトコアの固定方法を容易に得ることができる。
【図面の簡単な説明】
【００２７】
【図１】本発明の第１の実施の形態に係る電子機器の回路基板にワイヤハーネスが接続された状態を模式的に示す側面図である。
【図２】図１に示す電子機器に搭載される回路基板及びワイヤハーネスを示す斜視図（フェライトコア及び固定部材を省略した状態の図）である。
【図３】図１に示す電子機器の回路基板及びワイヤハーネスを示す平面図（裏面側から見た図）である。
【図４】図１に示す電子機器に用いられるワイヤハーネスを模式的に示す断面図である。
【図５】図１に示す電子機器に用いられるワイヤハーネスを模式的に示す断面図である。
【図６】本発明の第２の実施の形態に係る電子機器に用いられるワイヤハーネスを模式的に示す断面図である。
【図７】本発明の第３の実施の形態に係る電子機器に用いられるワイヤハーネスを模式的に示す断面図（図８の７−７線に沿った断面に対応する図）である。
【図８】本発明の第３の実施の形態に係る電子機器に用いられるワイヤハーネスを模式的に示す平面図である。
【図９】本発明の第４の実施の形態に係る電子機器に用いられるワイヤハーネスを模式的に示す断面図（図１０の９−９線に沿った断面に対応する図）である。
【図１０】本発明の第４の実施の形態に係る電子機器に用いられるワイヤハーネスを模式的に示す平面図である。
【図１１】本発明の第５の実施の形態に係る電子機器に用いられるワイヤハーネスを模式的に示す側面図である。
【図１２】図１１のＸ１方向から見た図に対応する側面図である。
【発明を実施するための形態】
【００２８】
以下の実施の形態では、同一の部品には同一の参照番号を付してある。それらの機能及び名称も同一である。したがって、それらについての詳細な説明は繰返さない。
【００２９】
（第１の実施の形態）
［構成］
図１を参照して、本実施の形態に係る電子機器１００は、電子部品（図示せず。）が実装された回路基板１１０と、回路基板１１０と接続され、電源供給及び信号通信等の電気的接続を行なうワイヤハーネス１２０と、ワイヤハーネス１２０に取付けられるフェライトコア１３０とを含む。
【００３０】
図２を参照して、ワイヤハーネス１２０は、複数の電線を束にして集合部品としたものであり、電線束であるワイヤ部１２２と、ワイヤ部１２２の端部に設けられる第１のコネクタ１２４とを含む。ワイヤ部１２２を構成する各電線は、例えば、銅合金製の複数素線に耐摩耗性が高い絶縁体を被覆した構成を有する。
【００３１】
図２及び図３を参照して、第１のコネクタ１２４は、ワイヤ部１２２の電線が電気的に接続される接続端子１２４ａと、接続端子１２４ａを収納するハウジング１２４ｂとを含む。ハウジング１２４ｂは、例えば、絶縁性の樹脂等からなる。
【００３２】
図１及び図３を参照して、フェライトコア１３０は、非分割タイプのトロイダルコアからなる。フェライトコア１３０は、ワイヤハーネス１２０のワイヤ部１２２をフェライトコア１３０の中央開口に挿通することで、ワイヤハーネス１２０に取付けられる。
【００３３】
ワイヤハーネス１２０はさらに、ワイヤ部１２２に取付けられたフェライトコア１３０を第１のコネクタ１２４に固定する固定部材１４０を含む。固定部材１４０は、柔軟性を有するチューブ状（筒状）の部材である。固定部材１４０の材質はゴムである。この固定部材１４０は、両端の一方側（フェライトコア１３０側）にフェライトコア１３０が嵌合され、両端の他方側（第１のコネクタ１２４側）に第１のコネクタ１２４が嵌合される嵌合部材である。固定部材１４０は柔軟性を有するため変形しやすい。そのため、固定部材１４０には、フェライトコア１３０及び第１のコネクタ１２４が容易に嵌合されて装着される。なお、固定部材１４０は、フェライトコア１３０を第１のコネクタ１２４に保持及び固定できる程度の硬さを有している。
【００３４】
回路基板１１０には、第１のコネクタ１２４と接続される第２のコネクタ１５０が実装されている。第２のコネクタ１５０は、第１のコネクタ１２４の接続方向（第１のコネクタ１２４の挿入方向）が、回路基板１１０の実装面と平行な方向となるように、回路基板１１０上に実装される。第２のコネクタ１５０は、回路基板１１０の回路と電気的に接続される接続端子１５０ａと、この接続端子１５０ａを収納するハウジング１５０ｂとを含む。ハウジング１５０ｂは、例えば、絶縁性の樹脂等からなる。第２のコネクタ１５０のハウジング１５０ｂは、第１のコネクタ１２４と接続された際に、信号及び電力を誤接続しないような形状となっている。
【００３５】
なお、第１のコネクタ１２４と第２のコネクタ１５０とが接続されることにより、ワイヤハーネス１２０は回路基板１１０の適切な回路へ電気を伝える。第１のコネクタ１２４及び第２のコネクタ１５０は、ロック付きコネクタであり、互いに容易に接続が可能で接続後は振動等では容易に外れず長期間安定的に接続が維持される。すなわち、ワイヤハーネス１２０の第１のコネクタ１２４は、第２のコネクタ１５０と接続されることによって、ワイヤハーネス１２０と回路基板１１０との接続部分を固定する。第１のコネクタ１２４及び第２のコネクタ１５０はまた、必要に応じて容易に接続を解除できるように構成されている。
【００３６】
ワイヤハーネス１２０の第１のコネクタ１２４は、ハウジング１２４ｂの外表面（ハウジング１２４ｂの上面及び下面）に突起部１２６（１２６ａ、１２６ｂ）が形成されている。この突起部１２６は、固定部材１４０がハウジング１２４ｂに嵌合（装着）された際に、固定部材１４０に引掛かり（係合し）、固定部材１４０を抜けにくくする。
【００３７】
［フェライトコア１３０の固定方法］
図３〜図５を参照して、フェライトコア１３０の固定方法について説明する。
【００３８】
固定部材１４０の両端の一方側に、フェライトコア１３０を装着する。固定部材１４０は柔軟性を有するため、一方側の開口を広げて、固定部材１４０にフェライトコア１３０を嵌合する。図４を参照して、固定部材１４０が装着されたフェライトコア１３０に、ワイヤハーネス１２０のワイヤ部１２２を挿通する。その際、固定部材１４０の他方側（フェライトコア１３０が装着されている側と反対側）が第１のコネクタ１２４側となるように、ワイヤハーネス１２０のワイヤ部１２２を挿通する。そして、固定部材１４０の第１のコネクタ１２４側の開口を広げ、固定部材１４０を第１のコネクタ１２４に嵌めて固定する。これにより、図３及び図５に示すように、固定部材１４０によって、フェライトコア１３０が第１のコネクタ１２４に固定される。このとき、図５に示すように、固定部材１４０が、第１のコネクタ１２４の突起部１２６に引掛かるため、固定部材１４０が第１のコネクタ１２４から抜けにくくなる。
【００３９】
これにより、フェライトコア１３０が第１のコネクタ１２４に固定されたワイヤハーネス１２０が得られる。その後、このワイヤハーネス１２０の第１のコネクタ１２４を回路基板１１０の第２のコネクタ１５０に接続する。なお、固定部材１４０へのフェライトコア１３０の嵌合（装着）は、フェライトコア１３０にワイヤ部１２２を挿通した後に行なってもよい。フェライトコア１３０の固定は、ワイヤハーネス１２０を回路基板１１０に接続した後に行なってもよい。
【００４０】
［本実施の形態の効果］
以上の説明から明らかなように、本実施の形態に係る電子機器１００及びワイヤハーネス１２０を利用することにより、以下に述べる効果を奏する。
【００４１】
固定部材１４０によってフェライトコア１３０を第１のコネクタ１２４に固定することにより、フェライトコア１３０の重量及び振動等による負荷がワイヤ部１２２に印加されるのを抑制できる。そのため、電線及び周辺部品等の破損を効果的に抑制できるので、電線及び周辺部品等の破損に起因する信頼性の低下を抑制できる。さらに、ワイヤハーネス１２０に、電線の数が少ないワイヤハーネス、及び、比較的細い電線を使用しているワイヤハーネスを用いた場合でも、電線及び周辺部品等の破損を抑制できるため、電線及び周辺部品等の破損に起因する信頼性の低下を抑制できる。
【００４２】
ワイヤハーネス１２０の第１のコネクタ１２４は、回路基板１１０の第２のコネクタ１５０と接続されるため、ワイヤハーネス１２０の第１のコネクタ１２４が回路基板１１０の第２のコネクタ１５０と接続された状態では、第１のコネクタ１２４に固定されたフェライトコア１３０は、回路基板１１０の近傍に位置する。このように、ワイヤハーネス１２０に取付けられるフェライトコア１３０を回路基板１１０の近傍の理想的な位置に容易に配置（固定）できるため、不要輻射を効果的に抑制できる。これにより、フェライトコア１３０が回路基板１１０から離れることに起因する信頼性の低下を抑制できる。したがって、不要輻射を抑制するためにフェライトコア１３０をワイヤハーネス１２０に取付けた場合でも、信頼性の低下を抑制できる。
【００４３】
さらに、固定部材１４０として柔軟性を有する嵌合部材を用いることにより、フェライトコア１３０を第１のコネクタ１２４に固定する際に、固定部材１４０（嵌合部材）を変形させることで、形状の異なる種々のコネクタに容易にフェライトコア１３０を固定できる。また、固定部材１４０が柔軟性を有することによって、第１のコネクタ１２４からでるワイヤ部１２２の引回しが、上下左右のいずれの方向においても、容易となる。
【００４４】
なお、フェライトコアをワイヤ部に固定した場合は、ワイヤ部が動くために振動によってフェライトコアが移動する。これに対し、本実施の形態では、フェライトコア１３０をコネクタに固定するため、振動によるフェライトコア１３０の移動量を小さくできる。
【００４５】
（第２の実施の形態）
［構成］
図６を参照して、本実施の形態に係る電子機器は、第１の実施の形態に係る電子機器１００と同様、回路基板１１０（図３参照）と、ワイヤハーネス２２０と、フェライトコア１３０とを含む。ワイヤハーネス２２０は、第１の実施の形態のワイヤハーネス１２０とほぼ同様の構成を有している。ただし、本実施の形態では、第１のコネクタ２２４に突起部１２６が形成されていない点において、第１の実施の形態と異なる。
【００４６】
本実施の形態に係る電子機器は、ワイヤ部１２２に挿通されるフェライトコア１３０を固定するための固定部材２４０をさらに含む。固定部材２４０は、第１の実施の形態と同様、柔軟性を有するチューブ状（筒状）の部材からなる。固定部材２４０の材質はゴムである。この固定部材２４０は、両端の一方側（フェライトコア１３０側）にフェライトコア１３０が嵌合され、両端の他方側（第１のコネクタ２２４側）に第１のコネクタ２２４が嵌合される嵌合部材である。そのため、固定部材２４０は、フェライトコア１３０を第１のコネクタ２２４に保持及び固定できる程度の硬さを有している。
【００４７】
本実施の形態では、固定部材２４０は、第１のコネクタ２２４のみならず、第２のコネクタ１５０とも嵌合する。具体的には、固定部材２４０は、第１のコネクタ２２４と第２のコネクタ１５０とが接続された状態で、第１のコネクタ２２４及び第２のコネクタ１５０に被さるように装着される装着部２４２を含む。
【００４８】
［フェライトコア１３０の固定方法］
図６を参照して、フェライトコア１３０の固定方法について説明する。
【００４９】
固定部材２４０の両端の一方側に、フェライトコア１３０を装着する。固定部材２４０は柔軟性を有するため、一方側の開口を広げて、固定部材２４０にフェライトコア１３０を嵌合する。次に、固定部材２４０が装着されたフェライトコア１３０に、ワイヤハーネス２２０のワイヤ部１２２を挿通する。その際、固定部材２４０の他方側（フェライトコア１３０が装着されている側と反対側）が第１のコネクタ２２４側となるように、ワイヤハーネス２２０のワイヤ部１２２を挿通する。
【００５０】
続いて、ワイヤハーネス２２０の第１のコネクタ２２４を回路基板１１０の第２のコネクタ１５０に接続する。ワイヤハーネス２２０を回路基板１１０に接続した後、固定部材２４０の第１のコネクタ２２４側の開口を広げ、固定部材２４０を第１のコネクタ２２４及び第２のコネクタ１５０に被さるように嵌めて固定（装着）する。これにより、固定部材２４０によって、フェライトコア１３０が第１のコネクタ２２４及び第２のコネクタ１５０に固定される。なお、固定部材２４０へのフェライトコア１３０の嵌合（装着）は、フェライトコア１３０にワイヤ部１２２を挿通した後に行なってもよい。また、ワイヤハーネス２２０を回路基板１１０と接続する前に、固定部材２４０を第１のコネクタ２２４に嵌合し、ワイヤハーネス２２０を回路基板１１０と接続した後に、第１のコネクタ２２４に嵌合された固定部材をさらに第２のコネクタ１５０と嵌合させてもよい。
【００５１】
［本実施の形態の効果］
以上の説明から明らかなように、本実施の形態に係る電子機器及びワイヤハーネス２２０を利用することにより、以下に述べる効果を奏する。
【００５２】
フェライトコア１３０を固定するための固定部材２４０（嵌合部材）を、第１のコネクタ２２４及び第２のコネクタ１５０に被さるように装着することにより、フェライトコア１３０の固定を強固にできる。そのため、第１のコネクタ２２４に突起部が設けられていない場合でも、固定部材２４０を、コネクタから抜けにくくできる。
【００５３】
本実施の形態のその他の効果は、上記第１の実施の形態と同様である。そのため、重複する記載は省略する。
【００５４】
（第３の実施の形態）
［構成］
図７及び図８を参照して、本実施の形態に係る電子機器は、第１の実施の形態に係る電子機器１００と同様、回路基板１１０（図３参照）と、ワイヤハーネス１２０と、フェライトコア１３０とを含む。
【００５５】
本実施の形態に係る電子機器は、ワイヤ部１２２に挿通されたフェライトコア１３０を固定するための固定部材３４０をさらに含む。本実施の形態では、この固定部材３４０の構成が、上記第１の実施の形態とは異なる。この固定部材３４０は樹脂製の装着部材からなり、両端の一方側（フェライトコア１３０側）にフェライトコア１３０を嵌めて装着する装着部３４２を含む。固定部材３４０はさらに、両端の他方側（第１のコネクタ１２４側）の端部に、第１のコネクタ１２４と係合する係合部３４４を含む。この係合部３４４には、第１のコネクタ１２４の突起部１２６（１２６ａ、１２６ｂ）とそれぞれ係合する係合爪３４６（３４６ａ、３４６ｂ）が設けられている。
【００５６】
固定部材３４０は、その両端の他方側に第１のコネクタ１２４が嵌合される。その際、固定部材３４０の係合爪３４６が、第１のコネクタ１２４の突起部１２６と係合することで、固定部材３４０は、フェライトコア１３０を第１のコネクタ１２４に固定する。固定部材３４０の係合爪３４６（係合部３４４）が、第１のコネクタ１２４の突起部１２６と係合することで、固定部材３４０が第１のコネクタ１２４から抜けるのを抑制できる。
【００５７】
［フェライトコア１３０の固定方法］
図７及び図８を参照して、フェライトコア１３０の固定方法について説明する。
【００５８】
固定部材３４０の両端の一方側（装着部３４２）に、フェライトコア１３０を嵌めて装着する。次に、固定部材３４０が装着されたフェライトコア１３０に、ワイヤハーネス１２０のワイヤ部１２２を挿通する。その際、固定部材３４０の他方側（フェライトコア１３０が装着されている側と反対側）が第１のコネクタ１２４側となるように、ワイヤハーネス１２０のワイヤ部１２２を挿通する。そして、フェライトコア１３０が装着された固定部材３４０を第１のコネクタ１２４までＸ方向に移動させる。フェライトコア１３０が装着された固定部材３４０が第１のコネクタ１２４まで達すると、固定部材３４０の係合爪３４６（係合部３４４）が第１のコネクタ１２４の突起部１２６と係合するまで、固定部材３４０を第１のコネクタ１２４に差込む。これにより、固定部材３４０の両端の他方側に第１のコネクタ１２４が嵌合される。
【００５９】
このようにして、フェライトコア１３０が第１のコネクタ１２４に固定された、ワイヤハーネス１２０が得られる。その後、このワイヤハーネス１２０の第１のコネクタ１２４を回路基板１１０の第２のコネクタ１５０に接続する。なお、固定部材３４０へのフェライトコア１３０の嵌合（装着）は、フェライトコア１３０にワイヤ部１２２を挿通した後に行なってもよい。フェライトコア１３０の固定は、ワイヤハーネス１２０を回路基板１１０に接続した後に行なってもよい。
【００６０】
［本実施の形態の効果］
以上の説明から明らかなように、本実施の形態に係る電子機器及びワイヤハーネス１２０を利用することにより、以下に述べる効果を奏する。
【００６１】
固定部材として、第１のコネクタ１２４と係合する係合部３４４を含む固定部材３４０（装着部材）を用いることにより、この固定部材３４０の係合部３４４（係合爪３４６）を第１のコネクタ１２４の突起部１２６と係合させることによって、固定部材３４０が第１のコネクタ１２４から抜けるのを抑制できる。これにより、フェライトコア１３０を固定する固定部材３４０が第１のコネクタ１２４から抜けることに起因する信頼性の低下を抑制できる。
【００６２】
本実施の形態のその他の効果は、上記第１の実施の形態と同様である。そのため、重複する記載は省略する。
【００６３】
（第４の実施の形態）
［構成］
図９及び図１０を参照して、本実施の形態に係る電子機器は、第３の実施の形態とほぼ同様である。ただし、本実施の形態では、後述するように、固定部材４４０の係合部４４４が第２のコネクタ４５０と係合する点において、上記第３の実施の形態とは異なる。
【００６４】
固定部材４４０は、第１のコネクタ４２４と第２のコネクタ４５０とが接続された状態で、第２のコネクタ４５０と係合する係合部４４４を含む。この固定部材４４０は、第３の実施の形態と同様、樹脂製の装着部材からなり、両端の一方側（フェライトコア１３０側）にフェライトコア１３０を嵌めて装着する装着部４４２を含む。回路基板１１０には第２のコネクタ４５０が実装されており、この第２のコネクタ４５０には突起部４５２（４５２ａ、４５２ｂ）が形成されている。固定部材４４０の係合部４４４は、第２のコネクタ４５０の突起部４５２（４５２ａ、４５２ｂ）とそれぞれ係合する係合爪４４６（４４６ａ、４４６ｂ）を含む。
【００６５】
本実施の形態では、固定部材４４０は、ワイヤハーネス４２０の第１のコネクタ４２４とは係合しない。そのため、第１のコネクタ４２４には、固定部材４４０と係合する突起部は形成されていない。
【００６６】
［フェライトコア１３０の固定方法］
図９及び図１０を参照して、フェライトコア１３０の固定方法について説明する。
【００６７】
固定部材４４０の両端の一方側（装着部４４２）に、フェライトコア１３０を嵌めて装着する。次に、固定部材４４０が装着されたフェライトコア１３０に、ワイヤハーネス４２０のワイヤ部１２２を挿通する。その際、固定部材４４０の他方側（フェライトコア１３０が装着されている側と反対側）が第１のコネクタ４２４側となるように、ワイヤハーネス４２０のワイヤ部１２２を挿通する。
【００６８】
続いて、ワイヤハーネス４２０の第１のコネクタ４２４を回路基板１１０の第２のコネクタ４５０に接続する。ワイヤハーネス４２０を回路基板１１０に接続した後、フェライトコア１３０が装着された固定部材４４０を第１のコネクタ４２４までＸ方向に移動させる。フェライトコア１３０が装着された固定部材４４０が第１のコネクタ４２４まで達すると、固定部材４４０の係合爪４４６（係合部４４４）が第２のコネクタ４５０の突起部４５２と係合するまで、固定部材４４０を第１のコネクタ４２４及び第２のコネクタ４５０に差込む。これにより、固定部材４４０が、第１のコネクタ４２４及び第２のコネクタ４５０に嵌め込まれ、第２のコネクタ４５０に固定される。なお、固定部材４４０へのフェライトコア１３０の嵌合（装着）は、フェライトコア１３０にワイヤ部１２２を挿通した後に行なってもよい。
【００６９】
［本実施の形態の効果］
以上の説明から明らかなように、本実施の形態に係る電子機器及びワイヤハーネス４２０を利用することにより、以下に述べる効果を奏する。
【００７０】
固定部材として、第２のコネクタ４５０と係合する係合部４４４を含む固定部材４４０（装着部材）を用いることにより、この固定部材４４０の係合部４４４（係合爪４４６）を第２のコネクタ４５０の突起部４５２と係合させることによって、固定部材４４０が第１のコネクタ４２４及び第２のコネクタ４５０から抜けるのを抑制できる。これにより、フェライトコア１３０を固定する固定部材４４０が各コネクタから抜けることに起因する信頼性の低下を抑制できる。
【００７１】
本実施の形態のその他の効果は、上記第１及び第３の実施の形態と同様である。そのため、重複する記載は省略する。
【００７２】
（第５の実施の形態）
［構成］
図１１及び図１２を参照して、本実施の形態に係る電子機器は、第３の実施の形態とほぼ同様である。ただし、本実施の形態では、フェライトコア１３０を固定する固定部材５４０の構成が、第３の実施の形態とは異なる。
【００７３】
固定部材５４０は、第３の実施の形態と同様、樹脂製の部材であり、上下方向（Ｚ方向）に開閉可能に構成されている。この固定部材５４０は、固定部材５４０を閉じたときにフェライトコア１３０を挟み込んでそのフェライトコア１３０を保持する保持部５４２と、固定部材５４０を閉じた際に第１のコネクタ１２４を挟み込んで第１のコネクタ１２４に固定部材５４０を固定する固定部５４４とを含む。固定部材５４０はさらに、閉じた状態を維持するためのロック部５４６（５４６ａ、５４６ｂ）を含む。このロック部５４６によってロックされることにより、固定部材５４０で、フェライトコア１３０及び第１のコネクタ１２４を挟み込む。
【００７４】
［フェライトコア１３０の固定方法］
図１１及び図１２を参照して、フェライトコア１３０の固定方法について説明する。
【００７５】
フェライトコア１３０にワイヤハーネス１２０のワイヤ部１２２を挿通し、フェライトコア１３０を第１のコネクタ１２４の近傍まで移動する。固定部材５４０を開いた状態にして、フェライトコア１３０と第１のコネクタ１２４とを固定部材５４０にセットする。そして、固定部材５４０を閉じることにより、固定部材５４０で、フェライトコア１３０及び第１のコネクタ１２４を挟み込む。ロック部５４６でロックすることにより、フェライトコア１３０及び第１のコネクタ１２４を挟み込んだ状態を固定する。これにより、フェライトコア１３０が第１のコネクタ１２４に固定された、ワイヤハーネス１２０が得られる。
【００７６】
その後、このワイヤハーネス１２０の第１のコネクタ１２４を回路基板１１０の第２のコネクタ１５０に接続する。なお、固定部材５４０へのフェライトコア１３０の嵌合（装着）は、フェライトコア１３０にワイヤ部１２２を挿通した後に行なってもよい。フェライトコア１３０の固定は、ワイヤハーネス１２０を回路基板１１０に接続した後に行なってもよい。
【００７７】
［本実施の形態の効果］
以上の説明から明らかなように、本実施の形態に係る電子機器及びワイヤハーネス１２０を利用することにより、以下に述べる効果を奏する。
【００７８】
固定部材として、フェライトコア１３０と第１のコネクタ１２４とを挟み込んで固定する固定部材５４０を用いることによって、容易に、フェライトコア１３０を第１のコネクタ１２４に固定できる。そのため、容易に、信頼性を向上できる。
【００７９】
本実施の形態のその他の効果は、上記第１及び第３の実施の形態と同様である。そのため、重複する記載は省略する。
【００８０】
［変形例］
上記実施の形態では、フェライトコアに非分割タイプのトロイダルコアを用いた例を示したが、本発明はそのような実施の形態には限定されない。フェライトコアは非分割タイプ以外に例えば分割タイプであってもよい。また、ワイヤハーネスのワイヤ部が例えばフラットケーブルの場合、偏平リング状のフェライトコアを用いることもできる。
【００８１】
上記実施の形態で示した電子機器は、複写機等の画像形成装置、並びに、自動販売機、券売機及び冷蔵庫等の各種電子機器を含む。本発明は、ワイヤハーネスを用いる機器を搭載した自動車等の機械装置にも適用できる。すなわち、本発明は、ワイヤハーネスを用いる機器及び装置全般に適用することができる。
【００８２】
上記実施の形態では、ワイヤハーネスにフェライトコアを取付けた例について示したが、本発明はそのような実施の形態には限定されない。フェライトコアに代えて、例えば、温度センサ、湿度センサ等のセンサをワイヤハーネスに取付けてもよい。センサ等の重量物を、固定部材を介してコネクタに固定することにより、重量物の重量及び振動等による負荷がワイヤ部に印加されるのを抑制できる。そのため、電線及び周辺部品等の破損を効果的に抑制できるので、電線及び周辺部品等の破損に起因する信頼性の低下を抑制できる。センサを取付ける場合、実装部品（電子部品）の保護等のために、回路基板周辺の温度及び湿度を計測することが主な目的となることが多い。センサをコネクタに固定すれば、センサを回路基板の近傍に配置できるため、回路基板近傍のより正確な温度及び湿度を計測できる。したがって、このような場合も信頼性の低下を抑制できる。
【００８３】
上記実施の形態では、第１のコネクタの接続方向（第１のコネクタの挿入方向）が、回路基板の実装面と平行な方向となるように、回路基板上に第２のコネクタを実装した例について示したが、本発明はそのような実施の形態には限定されない。例えば、第１のコネクタの接続方向が、回路基板の実装面と垂直な方向となるように、回路基板上に第２のコネクタを実装してもよい。
【００８４】
上記実施の形態では、ワイヤハーネスのコネクタをロック付きコネクタとした例について示したが、本発明はそのような実施の形態には限定されない。ワイヤハーネスのコネクタはロック付きコネクタ以外のコネクタであってもよい。
【００８５】
上記第１及び第２の実施の形態では、ゴム製の固定部材を用いた例について示したが、本発明はそのような実施の形態には限定されない。柔軟性を有する固定部材であれば、ゴム以外の材質の固定部材であってもよい。例えば、ポリアミド系合成繊維製等の固定部材であってもよい。さらに、固定部材に例えば収縮チューブを用いることもできる。収縮チューブを用いることにより、熱等で収縮チューブを収縮すれば、容易に、フェライトコア等の重量物をコネクタに固定できる。
【００８６】
上記第３〜第５の実施の形態では、樹脂製の固定部材を用いた例について示したが、本発明はそのような実施の形態には限定されない。上記固定部材は樹脂以外の材質であってもよい。
【００８７】
すなわち、上記固定部材は、フェライトコア等の重量物をコネクタに固定することが可能な固定部材であれば、その材質、形状及び構造等は上記実施の形態で示したものに限定されない。
【００８８】
上記第１の実施の形態では、第１のコネクタの上面及び下面に突起部を形成した例について示したが、本発明はそのような実施の形態には限定されない。第１のコネクタの突起部は、上面及び下面以外に、例えば側面であってもよい。また、上面、下面及び側面のそれぞれに突起部を形成してもよい。第１のコネクタの突起部は、上面、下面及び側面のいずれかに形成されていればよい。さらに、突起部を形成しない構成とすることもできる。
【００８９】
上記第２の実施の形態では、第１のコネクタ及び第２のコネクタのいずれにも突起部を形成しない例について示したが、本発明はそのような実施の形態には限定されない。第１のコネクタ及び第２のコネクタの一方に突起部を形成する構成としてもよい。さらに、第１のコネクタ及び第２のコネクタの両方に突起部を形成する構成としてもよい。
【００９０】
上記第３及び第４の実施の形態についても同様、突起部は、上面及び下面以外の例えば側面に形成してもよい。上面、下面及び側面のそれぞれに突起部を形成してもよい。すなわち、上記突起部は、上面、下面及び側面のいずれかに形成されていればよい。
【００９１】
上記第４の実施の形態では、固定部材の係合爪が第２のコネクタの突起部とのみ係合する例について示したが、本発明はそのような実施の形態には限定されない。第１のコネクタ及び第２のコネクタの両方に突起部を形成し、固定部材にそれぞれの突起部と係合する係合爪を形成することで、固定部材が第１のコネクタ及び第２のコネクタの両方と係合するようにしてもよい。
【００９２】
上記第３及び第４の実施の形態では、固定部材の係合部に係合爪を形成した例について示したが、本発明はそのような実施の形態には限定されない。固定部材の係合部がコネクタと係合可能な構成であれば、どのような構成であってもよい。例えば、固定部材の係合部に、コネクタの突起部と係合する係合穴を形成してもよい。さらに、コネクタ側に、固定部材の係合爪と係合する係合穴を形成してもよい。
【００９３】
上記第４の実施の形態では、固定部材が第２のコネクタに固定される例について示したが、本発明はそのような実施の形態には限定されない。例えば、固定部材を第１のコネクタと嵌合可能に構成することで、第１のコネクタにも固定されるようにしてもよい。
【００９４】
上記第５の実施の形態では、フェライトコアを第１のコネクタに固定した例について示したが、本発明はそのような実施の形態には限定されない。フェライトコアは、第２のコネクタ側に固定してもよいし、第１のコネクタ及び第２のコネクタの両方に固定してもよい。すなわち、フェライトコア等の重量物の固定は、第１のコネクタ及び第２のコネクタの少なくとも一方であればよい。
【００９５】
上記第５の実施の形態では、開閉自在な固定部材でフェライトコアをコネクタに固定する例について示したが、本発明はそのような実施の形態には限定されない。例えば、分割された固定部材でフェライトコアをコネクタに固定するようにしてもよい。具体的には、例えば、分割された固定部材でフェライトコアとコネクタとを挟み、ゴムバンド及び結束バンド等で固定するようにしてもよい。
【００９６】
上記第５の実施の形態では、開閉自在な固定部材でフェライトコア及びコネクタの両方を挟み込み、これによって、フェライトコアをコネクタに固定する例について示したが、本発明はそのような実施の形態には限定されない。例えば、嵌め込み式で装着可能な部分と開閉自在な部分とを備えた固定部材を用いて、フェライトコア及びコネクタの一方は嵌め込み式で固定部材に装着し、フェライトコア及びコネクタの他方は開閉自在な部分で挟み込んで固定するようにしてもよい。
【００９７】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【００９８】
１００                                      電子機器
１１０                                      回路基板
１２０、２２０、４２０                      ワイヤハーネス
１２２                                      ワイヤ部
１２４、２２４、４２４                      第１のコネクタ
１２４ａ、１５０ａ                          接続端子
１２４ｂ、１５０ｂ                          ハウジング
１２６、４５２                              突起部
１３０                                      フェライトコア
１４０、２４０、３４０、４４０、５４０      固定部材
１５０、４５０                              第２のコネクタ
２４２、３４２、４４２                      装着部
３４４、４４４                              係合部
３４６、４４６                              係合爪
５４２                                      保持部
５４４                                      固定部
５４６                                      ロック部
【図１】
2013165205.tif 000003
【図２】
2013165205.tif 000004
【図３】
2013165205.tif 000005
【図４】
2013165205.tif 000006
【図５】
2013165205.tif 000007
【図６】
2013165205.tif 000008
【図７】
2013165205.tif 000009
【図８】
2013165205.tif 000010
【図９】
2013165205.tif 000011
【図１０】
2013165205.tif 000012
【図１１】
2013165205.tif 000013
【図１２】
2013165205.tif 000014